(57)【要約】【課題】耐力壁を適正に配置して建物全体の十分な構造強度を確保することができ、かつ、居住性にも十分に配慮することを提供すること。【解決手段】耐力壁１１，２１で支持された上階２及び下階１を有し、下階１の一部に引き込み玄関１２又は引き込みカーポート１３の少なくとも一方を配置するための引き込みスペースＳが設けられた壁式構造の住宅において、引き込みスペースＳの直上に対応する上階の耐力壁２１の面積が、下階の引き込みスペースＳに沿った耐力壁１１の面積よりも大きく設定され、引き込みスペースＳの直上に対応する上階部分には平面長方形の収納空間２２が設けられ、その収納空間２２の三辺が耐力壁で形成されている。【選択図】　　　図１
2004011158.tif 000002
【特許請求の範囲】
【請求項１】
耐力壁で支持された上階及び下階を有し、下階の一部に引き込み玄関又は引き込みカーポートの少なくとも一方を配置するための引き込みスペースが設けられた壁式構造の住宅において、前記上階の前記引き込みスペースの直上に対応する耐力壁の面積が、前記下階の引き込みスペースに沿った耐力壁の面積よりも大きく設定され、前記引き込みスペースの直上に対応する上階部分には平面長方形の収納空間が設けられ、その収納空間の三辺が前記耐力壁で形成されていることを特徴とする壁式構造の住宅。
【請求項２】
請求項１記載の壁式構造の住宅において、前記上階には、前記収納空間に隣接するインナーバルコニーが配置され、前記収納空間に沿った耐力壁には開口部が存在しないことを特徴とする壁式構造の住宅。
【請求項３】
請求項１記載の壁式構造の住宅において、前記建物は間口よりも奥行きが長く、前記間口方向に沿って前記収納空間及びインナーバルコニーが並べて配置されていることを特徴とする壁式構造の住宅。
【請求項４】
請求項１記載の壁式構造の住宅において、前記上階には、前記収納空間及びインナーバルコニーに隣接する居住空間が配置され、その居住空間が寝室として利用されていることを特徴とする壁式構造の住宅。
【請求項５】
請求項１記載の壁式構造の住宅において、前記収納空間及びインナーバルコニーは建物の南側に配置され、前記引き込みスペースは、建物の南西の角に相当する部分に配置され、南北に長く形成されていることを特徴とする壁式構造の住宅。
【請求項６】
請求項５記載の壁式構造の住宅において、前記引き込みスペースの北側に玄関が配置されていることを特徴とする壁式構造の住宅。
【発明の詳細な説明】
【０００１】
【発明の属する技術分野】
本発明は、上階及び下階を有する二階建以上の建物を壁式構造とした住宅に関し、特に、耐力壁による十分な構造強度を確保しつつ、居住性にも配慮した技術に関する。
【０００２】
【背景の技術】
壁式構造の建物は、従来から住宅として多々建築されている。例えばパネル工法による住宅や、ツーバイフォー工法による住宅をその代表例として挙げることができる。
【０００３】
この壁式構造の建物は、必要な部位を耐力壁とすることで、例えば在来の軸組構造による建物に比べてその構造強度を上げることができる。耐力壁の配置位置やその大きさ（面積や長さ）は、在来工法での柱・梁の大きさや配置本数と同様に、建物の構造強度に大きな影響を及ぼす。従って、壁式構造の建物では、耐力壁を適正に配置する必要がある。
【０００４】
近年においては、敷地の狭小化や道路との関係で、建物の奥行きに比べて間口が狭い二階建て以上の建物が多く建築される傾向にある。その際、敷地内に十分な駐車スペースを確保できない状況下では、１階部分の外壁の一部を内側にＬ形状に屈曲させる形態とすることで駐車スペースを確保する、いわゆるオーバーハング式の引き込みカーポートを設けることが多々行われている。
【０００５】
【発明が解決しようとする課題】
このような形態のカーポートを設けた建物では、本来的に狭い間口である上に、引き込みカーポートの存在でさらに狭い間口となってしまう。そのため、建物１階の引き込みカーポート周辺の外壁が耐力壁の配置上好ましくない形態となるだけでなく、耐力壁の大きさにも制限を受けるため、耐力壁を適正に配置することが難しいという問題があった。
【０００６】
特に、この引き込みカーポート周辺の外壁には、建物の間取りの関係や居住性の向上を図る上でも玄関等の出入り口や窓等の開口部を設ける必要があり、この点からも耐力壁を適正に配置することが難しいという問題があった。
【０００７】
本発明の課題は、耐力壁を適正に配置して建物全体の十分な構造強度を確保することができ、かつ、居住性にも十分に配慮した壁式構造の住宅を提供しようとするものである。
【０００８】
【課題を解決するための手段】
本発明では、耐力壁で支持された上階及び下階を有し、下階の一部に引き込み玄関又は引き込みカーポートの少なくとも一方を配置するための引き込みスペースが設けられた壁式構造の住宅において、引き込みスペースの直上に対応する上階の耐力壁の面積が、下階の引き込みスペースに沿った耐力壁の面積よりも大きく設定され、引き込みスペースの直上に対応する上階部分には平面矩形の収納空間が設けられ、その収納空間の三辺が前記耐力壁で形成されていることを特徴としている。
【０００９】
このような本発明によれば、引き込みスペースの直上に対応する上階の耐力壁の面積を、下階の引き込みスペースに沿った耐力壁の面積よりも大きく設定することで、耐力壁を適正に配置して建物全体の十分な構造強度を確保することができる。また、引き込みスペースの直上に対応する上階部分に平面矩形の収納空間を設けたことで、その収納空間に沿った耐力壁に開口部を設けない構造とすることができる。これにより、居住性にも十分に配慮した間取りを有する壁式構造の住宅を提供することができる。また、収納空間の三辺を耐力壁で形成することで、耐力壁の面積を大きくすることができる。
【００１０】
上記構成において、上階には、収納空間に隣接するインナーバルコニーが配置され、収納空間に沿った耐力壁には開口部が存在しない構成とすることもできる。このようにすれば、収納空間とインナーバルコニーが隣り合うので、収納空間に沿った耐力壁に開口部が存在しなくても、インナーバルコニーから十分な採光や通風を確保できる構造となる。これにより、居住性の向上を図ることができる。
【００１１】
前記建物は間口よりも奥行きが長く、間口方向に沿って収納空間及びインナーバルコニーが並べて配置されていることが望ましい。このように構成すれば、間口の小さい建物において、耐力壁が有効に機能する構造となるほか、インナーバルコニーの存在が建物の外観を良くする機能を発揮する。
【００１２】
前記上階には、収納空間及びインナーバルコニーに隣接する居住空間が配置され、その居住空間が寝室として利用されていることが望ましい。このような間取りとした場合、開口部のない収納空間によって寝室が外から見えにくいレイアウトにすることができる。寝室の場合には、大きな開口部を設けなくても済むので、構造強度の向上と居住性の両方に配慮した構成とすることができる。
【００１３】
前記収納空間及びインナーバルコニーは建物の南側に配置され、引き込みスペースは、建物の南西の角に相当する部分に配置され、南北に長く形成されていることが望ましい。インナーバルコニーによって南からの採光及び通風が確保されやすい構成となる。また、引き込みスペースが建物の南西の角に相当する部分に配置することによって、南側に窓等の開口を確保でき、下階への採光性や通風性にも配慮できる。
【００１４】
前記引き込みスペースの北側に玄関が配置されていることが望ましい。このようにした場合、建物の南側から見て玄関が引き込みスペースの正面に位置する形態となる。これにより、玄関の奥行きを深めて重厚感を与え、建物全体の外観向上にも寄与することができる。
【００１５】
【発明の実施の形態】
本発明の好適な実施の形態について、図１〜図４を参照して説明する。
以下の実施の形態は、本発明を二階建て住宅に適用した例を示す。図１は建物の一階部分の平面間取り図であり、図２は二階部分の平面間取り図である。図３は、建物の正面図であり、図４はその左側面図である。
【００１６】
これらの図において、建物は全体として符号Ｔで示している。この建物Ｔは、図１に示す一階部分である下階１と、図２に示す二階部分である上階２とを有する二階建ての住宅である。
【００１７】
この建物Ｔは、パネル工法あるいはツーバイフォー工法等による壁式構造の建物として建築されている。即ち、図１及び図２に示すように、耐力壁１１、２１で支持された下階１及び上階２を有している。そして、下階１の一部に引き込み玄関や引き込みカーポートを配置するための引き込みスペースＳが設けられている。
【００１８】
引き込みスペースＳの直上に対応する上階２の耐力壁２１の面積は、下階１の引き込みスペースＳに沿った耐力壁１１の面積よりも大きく設定されている。さらに、引き込みスペースＳの直上に対応する上階２部分に収納空間２２が設けられている。
【００１９】
次いで、これらの詳細について説明する。建物Ｔは、間口３間、奥行き５間半の奥行きのある建物で、奥行きに比べて間口が小さい。これは敷地Ｇとの関係において間取りが決定されたもので、建物Ｔの正面は南に面している。また、敷地Ｇの南側に道路（図示せず）が確保されている。
【００２０】
引き込みスペースＳの奥には、玄関土間１２ａを有する南向きの玄関１２が配置され、玄関１２と引き込みスペースＳとの間に玄関ドア１２ｂが設けられている。この引き込みスペースＳは、主としてカーポート１３として利用されている。大きさは、正面から見て奥行き２間半、間口１間程度である。従って、下階のカーポート１３に沿った外壁は平面Ｌ形状に内側へ屈曲していて、その大部分が耐力壁１１として構成されている。
【００２１】
下階１には、南側に面したリビングダイニング１４が配置され、その奥にキッチン１５が配置されている。キッチン１５の奥には、下階の北側に浴室１６、洗面１７、トイレ１８が並べて配置されている。玄関１２の奥には上階への階段１９が設けられている。
【００２２】
リビングダイニング１４は、南側に設けた１間半前後の掃き出し窓１４ａによって外部に開口している。掃き出し窓１４ａの外には縁側１４ｂが設けられている。この例では、大きな掃き出し窓１４ａを設けた関係で、縁側１４ｂとカーポート１３との間には断面四角形の補強耐力壁１１ａが設けられている。
【００２３】
上階２には階段１９を上ると、東側に子供部屋２３、２４が並べて配置され、南側に寝室２５が配置されている。収納空間２２は、間口１間半、奥行き半間の平面長方形であり、南側の外壁に寄せて配置されている。そして、この収納空間２２の出し入れ口２２ａを除く三辺２２ｂ、２２ｃ、２２ｄが耐力壁２１として形成され、ここには開口が設けられていない。
【００２４】
上階２の南側であって収納空間２２の隣には、インナーバルコニー２６が設けられている。このインナーバルコニー２６は、間口１間半、奥行き半間の平面長方形である
【００２５】
寝室２５の西側の外壁も耐力壁として形成されているが、そこには寝室用の小さ目の窓２５ａが設けられている。窓２５ａに寄せてベッド２５ｂが配置されている。２７は庇で、カーポート１３の屋根を広げるために設けられている。
【００２６】
この実施の形態によれば、引き込みスペースＳの直上に対応する上階２の耐力壁２１の面積を、下階１の引き込みスペースＳに沿った耐力壁１１の面積よりも大きく設定したことで、耐力壁１１、２１を適正に配置して建物Ｔ全体の十分な構造強度を確保することができる。
【００２７】
特に、上階２の耐力壁２１で下階１を補強することができる。また、引き込みスペースＳの直上に対応する上階部分に収納空間２２を設けたことで、その収納空間２２に沿った耐力壁２２ｂ、２２ｃ、２２ｄに開口部を設けない構造とすることができる。なぜなら、収納空間２２に窓等の開口は必要ないからである。これにより、寝室２５には窓２５ａを設けることができる。そして、インナーバルコニー２６の配置によって居住性にも十分に配慮した間取りを有する壁式構造の住宅とすることができる。
【００２８】
また、上階２には、収納空間２２に隣接するインナーバルコニー２６が配置され、収納空間２２に沿った耐力壁２１には開口部が存在しない構成とすることで、収納空間２２とインナーバルコニー２６が隣り合うので、収納空間２２に沿った耐力壁に開口部が存在しなくても、インナーバルコニー２６から十分な採光や通風を確保できる構造となる。これにより、居住性の向上を図ることができる。
【００２９】
建物Ｔは間口よりも奥行きが長く、間口方向に沿って収納空間２２及びインナーバルコニー２６が並べて配置されていることで、間口の小さい建物においても耐力壁２１が有効に機能する構造となるほか、インナーバルコニーの存在が建物の外観を良くする機能を発揮する。
【００３０】
上階２には、収納空間２２及びインナーバルコニー２６に隣接する寝室２５が配置されていることで、開口部のない収納空間２２によって寝室２５が、特にベッド２５ｂが外から見えにくいレイアウトにすることができる。寝室２５の場合には、大きな開口部を設けなくても済むので、構造強度の向上と居住性の両方に配慮した構成とすることができる。
【００３１】
収納空間２２及びインナーバルコニー２６は建物Ｔの南側に配置され、引き込みスペースＳは、建物Ｔの南西の角に相当する部分に配置され、南北に長く形成されているので、インナーバルコニー２６によって南からの採光及び通風が確保されやすい構成となる。また、引き込みスペースＳが建物Ｔの南西の角に相当する部分に配置することによって、南側に掃き出し窓１４等の開口を確保でき、下階１への採光性や通風性にも配慮できる。
【００３２】
引き込みスペースＳの北側に玄関１２が配置されていることで、建物Ｔの南側から見て玄関１２が引き込みスペースＳの正面に位置する形態となる。これにより、玄関１２の奥行きを深めて重厚感を与え、建物全体の外観向上にも寄与することができる。
【００３３】
なお、上記実施の形態では、本発明を二階建て住宅に適用した例を示したが、三階建て住宅にも適用することができる。
【００３４】
【発明の効果】
以上のように、本発明に係る壁式構造の住宅によれば、耐力壁を適正に配置して建物全体の十分な構造強度を確保することができ、かつ、居住性にも十分に配慮することができるという、優れた効果を奏する。
【図面の簡単な説明】
【図１】本発明に係る壁式構造の住宅を示す一階部分の平面間取り図。
【図２】本発明に係る壁式構造の住宅を示す二階部分の平面間取り図。
【図３】本発明に係る壁式構造の住宅を示す正面図。
【図４】本発明に係る壁式構造の住宅を示す左側面図。
【符号の説明】
１　　下階（一階）
２　　上階（二階）
１１　耐力壁
１２　玄関
１３　カーポート
１４　リビングダイニング
２１　耐力壁
２２　収納空間
２２ｂ、２２ｃ、２２ｄ　耐力壁
２５　寝室（居住空間）
２６　インナーバルコニー
Ｓ　　引き込みスペース
Ｔ　　建物
Ｇ　　敷地
【図１】
2004011158.tif 000003
【図２】
2004011158.tif 000004
【図３】
2004011158.tif 000005
【図４】
2004011158.tif 000006